(57)【要約】【課題】  ネットオークションに出品するユーザが適切な希望落札価格等を設定可能にすること。【解決手段】  オークションサイトを運営するオークションサーバと、前記オークションサイトにおける出品商品種別毎のオークション結果を所定期間ごとに収集し、履歴データベースに蓄積し、ユーザコンピュータから入力された検索条件で指定された落札数、平均落札価格、及び落札率とを算出し、ユーザコンピュータに返信するオークション履歴管理サーバを備えたことを特徴とする。また、前記オークション履歴管理サーバは、ユーザコンピュータから入力された検索条件のうち除外ワードで指定された商品を除いて落札数、平均落札価格、及び落札率とを算出することを特徴とする。【選択図】    図４
2008134681.tif 000002
【特許請求の範囲】
【請求項１】
オークションサイトを運営するオークションサーバと、前記オークションサイトにおける出品商品種別毎のオークション結果を所定期間ごとに収集し、履歴データベースに蓄積し、ユーザコンピュータから入力された検索条件で指定された落札数、平均落札価格、及び落札率とを算出し、ユーザコンピュータに返信するオークション履歴管理サーバを備えたことを特徴とするネットオークションシステム。
【請求項２】
前記オークション履歴管理サーバは、ユーザコンピュータから入力された検索条件のうち除外ワードで指定された商品を除いて落札数、平均落札価格、及び落札率とを算出することを特徴とする請求項１に記載のネットオークションシステム。
【発明の詳細な説明】
【技術分野】
【０００１】
本発明は、ネットオークションシステムに関し、特にその出品支援機能に関するものである。
【背景技術】
【０００２】
近年、ネットオークションの利用者は年々、増大しており、あるネットオークションでは、既にその会員数が６００万人を超えているという。また、ネットオークション全体の市場規模は、２００４年には７８００億円に達しており、２０１０年には３兆円近くまで達するとの試算もある。
このような市場の拡大は、ネットオークションが当初は個人による中古品の売買が主であったが、最近では通常の店舗を有する会社が新品の商品を出品したり、在庫処分に利用したりする場合が増えてきていることがその要因の一部となっていると言われている。
【０００３】
しかし、これだけの市場であるにもかかわらず、そのネットオークションシステム自体は、ユーザにとって必ずしも使い易いとは言えず、システムとして改善の余地が非常に多い。
特に、出品するユーザにとって有用な機能、特に開始価格の設定に関してのツールのようなものは備えられていない。
本発明に関連する公知技術文献としては下記の特許文献１がある。
【０００４】
【特許文献１】特開２００４−５４２０号公報
【発明の開示】
【発明が解決しようとする課題】
【０００５】
ところで、従来のネットオークションシステムでは、一般的に、出品者が適当に自分の所望する価格を開始価格として設定していたため、長期に渡り落札されないという場合も珍しくない。
また、上記特許文献のように通常の市販価格等によって希望落札価格や最低落札価格を決めてしまうと、落札者側から見ると高額であり、落札に至らないことが多い。
これは、ネットオークションは実際の市場に比べると、実物を見て確認することができないというリスクもあるためと思われる。よって、全く同じ商品でも中古販売店の店頭での価格よりは低い価格で落札されることが多い。しかし、このようなことはオークションである程度出品を繰り返さなければ得られない知識である。
このため、出品者ユーザ、特に経験の浅いものは、適切な価格を知ること、また自己の出品商品の需要についても的確に把握することが難しく、適正な価格と需要を支援する機能の実現が望まれている。
【０００６】
本発明の目的は、ネットオークションのユーザが自己の出品する品物の適正な価格と需要を知ることが可能なネットオークションシステムを提供することにある。
【課題を解決するための手段】
【０００７】
上記目的を達成するために、本発明に係るネットオークションシステムは、オークションサイトを運営するオークションサーバと、前記オークションサイトにおける出品商品種別毎のオークション結果を所定期間ごとに収集し、履歴データベースに蓄積し、ユーザコンピュータから入力された検索条件で指定された落札数、平均落札価格、及び落札率とを算出し、ユーザコンピュータに返信するオークション履歴管理サーバを備えたことを特徴とする。
また、前記オークション履歴管理サーバは、ユーザコンピュータから入力された検索条件のうち除外ワードで指定された商品を除いて落札数、平均落札価格、及び落札率とを算出することを特徴とする。
【発明の効果】
【０００８】
本発明のネットオークションシステムによれば、次のような効果がある。
すなわち、ネットオークションに品物を出品するユーザは、品物の種別をキーワードとしてオークション履歴データベースを検索することにより、当該品物の適切な価格や需要を知ることができる。この結果、ネットオークションシへの参加経験が少ないユーザであっても需給関係を勘案した適正な価格を設定して出品することができる。
【発明を実施するための最良の形態】
【０００９】
以下、本発明を適用したネットオークションシステムの一実施の形態について説明する。
図１は、本発明の実施形態の一例を示すシステム構成図であり、本ネットオークションシステムは、オークションサーバ１、オークションＤＢ、オークション履歴管理サーバ３、オークション履歴ＤＢ４とから構成され、これらとパーソナルコンピュータである出品者クライアント５とは、インターネット７を介して接続されている。
出品データ６は、出品者クライアント５に接続されるハードディスク等の外部記憶装置に記憶されている。
オークションサーバ１は、出品者からの出品受付け処理、入札処理、落札処理、出品者、落札者及び入札者へのメール通知処理、ユーザへの課金処理等の通常のネットオークション機能を備えている。
オークションＤＢ２は、開催中のオークションの情報を登録しているデータベースである。
オークション履歴管理サーバ３は、終了したオークションの情報を登録しているデータベース４を管理するサーバである。
オークション履歴ＤＢ４は、終了したオークションの情報を登録しているデータベースである。
【００１０】
図２は、オークション履歴管理サーバ３のブロック構成図である。
オークション履歴管理サーバ３は、処理装置３０、表示装置３５、入力装置３６から構成され、履歴ＤＢ４が接続されている。
処理装置３０は、ＣＰＵ３１、メモリ３２、履歴管理部３３、データ算出部３４から構成されている。
履歴管理部３３は、所定期間毎に、オークションサーバ１が運営するオークションサイトのオークションＤＢ２から、最新のオークションにおけるデータを抽出し、オークション履歴ＤＢ４に保存する。
データ算出部３４は、検索条件で検索した品物の出品数、平均落札価格、落札率を算出する部分である。
入力装置３６は、キーボード３７、マウス３８から構成されている。
本実施の形態では、オークションサーバ１と、オークション履歴管理サーバ３を別のハードウエア構成として示したが、オークションサーバ１が履歴管理サーバ３の機能を備えても良い。
【００１１】
図３は履歴ＤＢ４に格納されるデータ構成の一例を示した図である。
履歴ＤＢ４に格納されるデータは、ＩＤ３０１、商品名３０２、落札価格３０３、落札日３０４、入札数３０５、開始価格３０６、出品日３０７から構成される。
ＩＤ３０１は、オークションをオークションサーバ１内で識別するために出品時に付されるユニークな値である。
商品名３０２には、オークション出品時に出品者が付けた名称が登録されている。
落札価格３０３には、当該オークションで落札された時の価格が登録されている。
落札日時３０４には、落札された日時が登録されている。
入札数３０５には、当該オークションが終了した時の入札数が登録されている。
開始価格３０６には、オークションの開始時の商品の価格が登録される。
出品日３０７には、当該オークションにおける商品の出品日が登録されている。
【００１２】
次に、図４〜６を用いて、オークション履歴管理サーバ３の具体的な処理を説明する。
図４は、オークション履歴管理サーバ３の処理を示したフローチャートである。
図５は、出品者クライアント５における検索画面の表示例を示した図である。図６は、検索結果画面の表示例を示した図である。
【００１３】
まず、オークション履歴管理サーバ３は、図５に示す出品者クライアント５における検索画面から、ユーザによる検索条件の入力を受付ける（ステップ４０１）。
検索条件としては、図５に例示するように、商品名、除外ワード、落札期間を受付ける。
除外ワードは、例えば機械製品などでは、動作確認されていないものを「ジャンク」というキーワードを付けて出品することが慣例として行われている。本システムを利用するユーザが動作確認済みの中古品を出品しようとする場合に、検索対象にジャンク品を含んでしまうと検索結果の信頼性が十分とは言えなくなる。
除外ワードは特になければ入力しなくても良い。また、上述のように、動作確認済みの中古品を出品するような場合、「新品」、「新古品」、「ジャンク」のように複数入力できるようにしても良い。
【００１４】
ユーザが図５中の検索ボタン５０１を押すと、ユーザによって入力された検索条件が出品者クライアント５からオークション履歴管理サーバ３に送信される。
オークション履歴管理サーバ３は、出品者クライアント５から送信された検索条件を受付け（ステップ４０１）、検索処理を開始する（ステップ４０２）。
次に、同一商品名の出品があるか商品名をユーザが指定したキーワードをもとに履歴ＤＢ４を検索する（ステップ４０３）。
ここで、同一商品名の出品がない場合にはエラーを通知して終了する（ステップ４０７）。
同一商品名の出品があった場合、ステップ４０１でユーザが指定した落札期間外のデータを検索し、それらのデータを除く（ステップ４０４）。さらに、除外ワードが含まれている商品があるか検索する（ステップ４０５）。除外ワードが含まれている商品がある場合には、除外ワードを含む出品を除いた残りの出品について、出品数、平均落札価格、落札率を算出する（ステップ４０８）。
【００１５】
ステップ４０５において、除外ワードが含まれていない場合には、出品数、平均落札価格、落札率を算出する（ステップ４０６）。
次に、図６のように検索結果の画面を表示する（ステップ４０９）。
なお、平均価格は、グラフにしてその推移を表示するようにしても良い。
【００１６】
以上のように、本実施形態では、オークション履歴管理サーバ３の履歴管理部３３により、オークションサーバ１が運営するオークションサイトでのオークションにおける出品商品の種別ごとのオークション結果データを所定時間間隔で収集して履歴ＤＢ４に蓄積しておき、出品者クライアント５から検索条件を受付けた場合には、その検索条件に対応する商品の出品数、平均落札価格、落札率を出品者クライアント５に返信して表示させるようにしたため、ネットオークションに品物を出品するユーザは、当該品物の適切な価格や需要を知ることができる。この結果、ネットオークションシへの参加経験が少ないユーザであっても需給関係を勘案した適正な価格を設定して出品することが可能になる。
また、検索条件として、商品名が同一であっても、検索の対象外とする商品を指定するための除外キーワードを設定するようにしているため、ユーザは、品質の保障がない商品を除外した平均落札価格、落札率などを知ることができる。
【００１７】
なお、図１の実施形態においては、オークションサーバ１が運営する１つのオークションサイトにおけるオークション結果の履歴を収集するようにしているが、複数のオークションサイトにおけるオークション結果の履歴を収集し、オークションサイト毎の出品数、平均落札価格、落札率、あるいは全てのオークションサイトにおける出品数、平均落札価格、落札率を算出してユーザに提示するように構成することができる。
【図面の簡単な説明】
【００１８】
【図１】本発明の実施形態の一例を示すシステム構成図である。
【図２】オークション履歴管理サーバのブロック構成図である。
【図３】履歴ＤＢ４のデータ構成の一例を示した図である。
【図４】オークション履歴管理サーバの処理を示したフローチャートである。
【図５】出品者クライアントにおける検索画面の表示例を示した図である。
【図６】出品者クライアントにおける検索結果画面の表示例を示した図である。
【符号の説明】
【００１９】
３…オークション履歴管理サーバ、３０…処理装置、３１…ＣＰＵ、３２…メモリ、３３…履歴管理部、３４…データ算出部、３５…表示装置、３６…入力装置、３７…キーボード、３８…マウス。
【図１】
2008134681.tif 000003
【図２】
2008134681.tif 000004
【図３】
2008134681.tif 000005
【図４】
2008134681.tif 000006
【図５】
2008134681.tif 000007
【図６】
2008134681.tif 000008